(57)【要約】【課題】融資において、融資元（金融機関等）及び融資を受けたい事業者の時間及び労力を削減する。【解決手段】情報処理装置は、事業者を識別する事業者識別情報と、前記事業者の会計に関する会計情報を含む事業者情報と、を関連付けて記憶する記憶装置にアクセス可能であって、事業者の会計に関する検索条件をユーザから受け付ける手段を備え、前記会計に関する検索条件を満たす会計情報に関連付けられた事業者識別情報を特定する手段を備え、前記特定された事業者識別情報によって識別される事業者に対して、融資のオファーに関するオファーメッセージを通知する手段を備える。【選択図】図３
2020140461.tif 000002
【特許請求の範囲】
【請求項１】
事業者を識別する事業者識別情報と、前記事業者の会計に関する会計情報を含む事業者情報と、を関連付けて記憶する記憶装置にアクセス可能な情報処理装置であって、
事業者の会計に関する検索条件をユーザから受け付ける手段を備え、
前記会計に関する検索条件を満たす会計情報に関連付けられた事業者識別情報を特定する手段を備え、
前記特定された事業者識別情報によって識別される事業者に対して、融資のオファーに関するオファーメッセージを通知する手段を備える、
情報処理装置。
【請求項２】
前記ユーザから融資のオファーに関するオファーメッセージの指定を受け付ける手段を備え、
前記通知する手段は、前記ユーザによって指定されたオファーメッセージを通知する、
請求項１に記載の情報処理装置。
【請求項３】
前記事業者情報は、前記事業者の属性に関する属性情報を更に含み、
事業者の属性に関する検索条件をユーザから受け付ける手段を備え、
前記特定する手段は、前記会計に関する検索条件及び属性に関する検索条件を満たす事業者情報に関連付けられた事業者識別情報を特定する、
請求項１又は２に記載の情報処理装置。
【請求項４】
前記オファーメッセージが通知された融資先候補の事業者から、前記オファーを受諾するか否かの指示を受け付ける手段を備え、
前記指示に応じて、前記ユーザに対して、前記融資先候補の事業者が前記オファーを受諾したか否かを通知する手段を備える、
請求項１〜３の何れかに記載の情報処理装置。
【請求項５】
前記融資先候補の事業者から、ユーザに対する返信メッセージの指定を受け付ける手段を備え、
前記ユーザに対して、前記返信メッセージを送信する手段を備える、
請求項４に記載の情報処理装置。
【請求項６】
前記融資先候補の事業者が前記オファーを受諾する場合、前記融資先候補の事業者の決算情報を取得する手段を備え、
前記ユーザに対して、前記決算情報を送信する手段を備える、
請求項４又は５に記載の情報処理装置。
【請求項７】
前記融資先候補の事業者が前記オファーを受諾した旨を通知した場合、前記ユーザから、前記融資先候補の事業者に対する返信メッセージの指定を受け付ける手段を備え、
前記融資先候補の事業者に対して、前記返信メッセージを送信する手段を備える、
請求項４〜６の何れかに記載の情報処理装置。
【請求項８】
前記特定された事業者識別情報によって識別される事業者の数を提示する手段を備える、
請求項１〜７の何れかに記載の情報処理装置。
【請求項９】
前記会計情報は、貸借対照表又は損益計算書の各科目における金額又は前年度比に関する情報である、
請求項１〜８の何れかに記載の情報処理装置。
【請求項１０】
コンピュータを、請求項１〜９の何れかに記載の各手段として機能させるためのプログラム。
【発明の詳細な説明】
【技術分野】
【０００１】
本発明は、情報処理装置、及び、プログラムに関する。
【背景技術】
【０００２】
金融機関等による融資は、融資先候補となる事業者へ複数回訪問し、信用を得た後に当該事業者の決算情報を取得し、融資可能か否かの審査を行っている。
融資の審査を支援する技術としては、例えば、特許文献１が知られている。特許文献１には、融資申込者がデータセンターのサーバ上の会計処理システムを利用し会計処理を行う工程と、Ｗｅｂ画面上の融資申込書へ入力する工程と、必要な事項を追加入力する工程と、融資申込書及び追加入力データのデータセンターへの電送工程と、データセンター内で財務会計データから必要事項を抽出する工程と、データセンター内で、融資申込書と、財務会計データから抽出したデータと、追加入力したデータとを併合する融資申込ファイルの作成工程と、融資申込ファイルの金融機関への電送工程と、融資判断プログラムによる自動融資審査工程と、融資申込者に対する判定結果の電送工程とからなる自動融資審査方法が開示されている。
【先行技術文献】
【特許文献】
【０００３】
【特許文献１】特開２００２−１４０５１９号公報
【発明の概要】
【発明が解決しようとする課題】
【０００４】
特許文献１の技術は、融資申込者（借入希望者）から金融機関に対してまず融資の申込みを行う。そのため、金融機関の融資条件に全く合っていない事業者等が融資の申込みを行う可能性がある。そのような場合、融資申込者にとっても、金融機関にとっても、無駄が生じる。
【０００５】
本発明の目的は、融資において、融資元（金融機関等）及び融資を受けたい事業者の時間及び労力を削減することである。
【課題を解決するための手段】
【０００６】
本発明の一態様は、
事業者を識別する事業者識別情報と、前記事業者の会計に関する会計情報を含む事業者情報と、を関連付けて記憶する記憶装置にアクセス可能な情報処理装置であって、
事業者の会計に関する検索条件をユーザから受け付ける手段を備え、
前記会計に関する検索条件を満たす会計情報に関連付けられた事業者識別情報を特定する手段を備え、
前記特定された事業者識別情報によって識別される事業者に対して、融資のオファーに関するオファーメッセージを通知する手段を備える、
情報処理装置である。
【発明の効果】
【０００７】
本発明によれば、融資において、融資元（金融機関等）及び融資を受けたい事業者の時間及び労力を削減することができる。
【図面の簡単な説明】
【０００８】
【図１】本実施形態の情報処理システムの構成を示すブロック図である。
【図２】図１の情報処理システムの機能ブロック図である。
【図３】本実施形態の概要の説明図である。
【図４】本実施形態の融資元情報データベースのデータ構造を示す図である。
【図５】本実施形態の事業者基礎情報データベースのデータ構造を示す図である。
【図６】本実施形態の事業者会計情報データベースのデータ構造を示す図である。
【図７】本実施形態の融資オファー返答情報データベースのデータ構造を示す図である。
【図８】本実施形態の事業者決算情報データベースのデータ構造を示す図である。
【図９】本実施形態の融資オファー処理のフローチャートである。
【図１０】本実施形態の融資オファー処理において表示される画面例を示す図である。
【図１１】本実施形態の融資オファー処理において表示される画面例を示す図である。
【図１２】本実施形態の事業者返答処理のフローチャートである。
【図１３】本実施形態の事業者返答処理において表示される画面例を示す図である。
【図１４】本実施形態の返答表示処理のフローチャートである。
【図１５】本実施形態の返答表示処理において表示される画面例を示す図である。
【図１６】変形例１の融資元返信処理のシーケンス図である。
【図１７】変形例１の融資元返信処理において表示される画面例を示す図である。
【図１８】変形例１の融資元返信処理において表示される画面例を示す図である。
【図１９】変形例２の融資オファー処理のシーケンス図である。
【図２０】変形例２の融資オファー処理において表示される画面例を示す図である。
【図２１】変形例３の概要の説明図である。
【図２２】変形例４の検索条件情報データベースのデータ構造を示す図である。
【図２３】変形例４の融資オファー処理のシーケンス図である。
【図２４】変形例４の融資オファー処理において表示される画面例を示す図である。
【発明を実施するための形態】
【０００９】
以下、本発明の一実施形態について、図面に基づいて詳細に説明する。なお、実施形態を説明するための図面において、同一の構成要素には原則として同一の符号を付し、その繰り返しの説明は省略する。
【００１０】
（１）情報処理システムの構成
情報処理システムの構成を説明する。図１は、本実施形態の情報処理システムの構成を示すブロック図である。図２は、図１の情報処理システムの機能ブロック図である。
【００１１】
図１に示すように、情報処理システム１は、融資元端末１０と、サーバ３０と、融資先候補端末５０と、を備える。
融資元端末１０及びサーバ３０は、ネットワーク（例えば、インターネット又はイントラネット）ＮＷを介して接続される。
サーバ３０及び融資先候補端末５０は、ネットワーク（例えば、インターネット又はイントラネット）ＮＷを介して接続される。
【００１２】
融資元端末１０は、サーバ３０にリクエストを送信する情報処理装置の一例である。融資元端末１０は、例えば、スマートフォン、タブレット端末、又は、パーソナルコンピュータである。融資元端末１０は、例えば、融資を実施したい者が使用する情報処理装置である。融資を実施したい者は、例えば、金融機関（銀行、信用金庫等）、保険会社、証券会社、貸金業者、又は個人投資家等である。
【００１３】
サーバ３０は、融資元端末１０から送信されたリクエストに応じたレスポンスを融資元端末１０に提供する情報処理装置の一例である。サーバ３０は、例えば、ウェブサーバである。
【００１４】
融資先候補端末５０は、サーバ３０にリクエストを送信する情報処理装置の一例である。融資先候補端末５０は、例えば、スマートフォン、タブレット端末、又は、パーソナルコンピュータである。融資先候補端末５０は、例えば、融資先の候補となる事業者が使用する情報処理装置である。
【００１５】
（１−１）融資元端末の構成
融資元端末１０の構成を説明する。
【００１６】
図２に示すように、融資元端末１０は、記憶装置１１と、プロセッサ１２と、入出力インタフェース１３と、通信インタフェース１４とを備える。
【００１７】
記憶装置１１は、プログラム及びデータを記憶するように構成される。記憶装置１１は、例えば、ＲＯＭ（Read Only Memory）、ＲＡＭ（Random Access Memory）、及び、ストレージ（例えば、フラッシュメモリ又はハードディスク）の組合せである。
【００１８】
プログラムは、例えば、以下のプログラムを含む。
・ＯＳ（Operating System）のプログラム
・情報処理を実行するアプリケーション（例えば、ウェブブラウザ）のプログラム
【００１９】
データは、例えば、以下のデータを含む。
・情報処理において参照されるデータベース
・情報処理を実行することによって得られるデータ（つまり、情報処理の実行結果）
【００２０】
プロセッサ１２は、記憶装置１１に記憶されたプログラムを起動することによって、融資元端末１０の機能を実現するように構成される。プロセッサ１２は、コンピュータの一例である。
【００２１】
入出力インタフェース１３は、融資元端末１０に接続される入力デバイスからユーザの指示を取得し、かつ、融資元端末１０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００２２】
通信インタフェース１４は、融資元端末１０とサーバ３０との間の通信を制御するように構成される。
【００２３】
（１−２）サーバの構成
サーバ３０の構成を説明する。
【００２４】
図２に示すように、サーバ３０は、記憶装置３１と、プロセッサ３２と、入出力インタフェース３３と、通信インタフェース３４とを備える。
【００２５】
記憶装置３１は、プログラム及びデータを記憶するように構成される。記憶装置３１は、例えば、ＲＯＭ、ＲＡＭ、及び、ストレージ（例えば、フラッシュメモリ又はハードディスク）の組合せである。
【００２６】
プログラムは、例えば、以下のプログラムを含む。
・ＯＳのプログラム
・情報処理を実行するアプリケーションのプログラム
【００２７】
データは、例えば、以下のデータを含む。
・情報処理において参照されるデータベース
・情報処理の実行結果
【００２８】
プロセッサ３２は、記憶装置３１に記憶されたプログラムを起動することによって、サーバ３０の機能を実現するように構成される。プロセッサ３２は、コンピュータの一例である。
【００２９】
入出力インタフェース３３は、サーバ３０に接続される入力デバイスからユーザの指示を取得し、かつ、サーバ３０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００３０】
通信インタフェース３４は、サーバ３０と融資元端末１０との間の通信を制御するように構成される。
【００３１】
（１−３）融資先候補端末の構成
融資先候補端末５０の構成を説明する。
【００３２】
図２に示すように、融資先候補端末５０は、記憶装置５１と、プロセッサ５２と、入出力インタフェース５３と、通信インタフェース５４とを備える。
【００３３】
記憶装置５１は、プログラム及びデータを記憶するように構成される。記憶装置５１は、例えば、ＲＯＭ（Read Only Memory）、ＲＡＭ（Random Access Memory）、及び、ストレージ（例えば、フラッシュメモリ又はハードディスク）の組合せである。
【００３４】
プログラムは、例えば、以下のプログラムを含む。
・ＯＳ（Operating System）のプログラム
・情報処理を実行するアプリケーション（例えば、ウェブブラウザ）のプログラム
・事業者の会計情報を管理する会計アプリケーションのプログラム
【００３５】
データは、例えば、以下のデータを含む。
・情報処理において参照されるデータベース
・情報処理を実行することによって得られるデータ（つまり、情報処理の実行結果）
【００３６】
プロセッサ５２は、記憶装置５１に記憶されたプログラムを起動することによって、融資先候補端末５０の機能を実現するように構成される。プロセッサ５２は、コンピュータの一例である。
【００３７】
入出力インタフェース５３は、融資先候補端末５０に接続される入力デバイスからユーザの指示を取得し、かつ、融資先候補端末５０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００３８】
通信インタフェース５４は、融資先候補端末５０とサーバ３０との間の通信を制御するように構成される。
【００３９】
（２）実施形態の概要
本実施形態の概要について説明する。図３は、本実施形態の概要の説明図である。
【００４０】
図３に示すように、サーバ３０は、事業者を識別する事業者識別情報と、事業者の会計に関する会計情報を含む事業者情報と、を関連付けて記憶する記憶装置にアクセス可能である。
サーバ３０は、融資元端末１０を介して、事業者の会計に関する検索条件をユーザ（融資元）から受け付ける。
サーバ３０は、会計に関する検索条件を満たす会計情報に関連付けられた事業者識別情報を特定する。
サーバ３０は、融資先候補端末５０を介して、特定された事業者識別情報によって識別される事業者（融資先候補）に対して、融資のオファーに関するオファーメッセージを通知する。
【００４１】
本実施形態によれば、ユーザ（融資元）が指定した会計に関する検索条件に合う事業者に融資のオファーがなされる。すなわち、融資元が予め会計に関して事業者を絞り込んで融資のオファーをする。そのため、融資元側としては、融資の申込みが、融資の審査に通る可能性の高い事業者からのものとなる。一方、事業者側としては、融資をしてもらえる可能性が高い融資元から融資のオファーがくるため、融資の審査に通らない融資元へ融資の申込みを行ってしまうことが低減される。したがって、融資において、融資元及び融資を受けたい事業者の時間及び労力を削減することができる。
【００４２】
（３）データベース
本実施形態のデータベースを説明する。以下のデータベースは、記憶装置３１に記憶される。
【００４３】
（３−１）融資元情報データベース
本実施形態の融資元情報データベースを説明する。図４は、本実施形態の融資元情報データベースのデータ構造を示す図である。
【００４４】
図４の融資元情報データベースには、融資元に関する融資元情報が格納されている。
融資元情報データベースは、「融資元ＩＤ」フィールドと、「融資元名」フィールドと、「融資元連絡先」フィールドと、を含む。各フィールドは、互いに関連付けられている。
【００４５】
「融資元ＩＤ」フィールドには、融資元ＩＤが格納される。融資元ＩＤは、融資元を識別する融資元識別情報の一例である。
【００４６】
「融資元名」フィールドには、融資元名に関する情報（例えば、テキスト）が格納される。融資元名は、融資元識別情報の一例である。
【００４７】
「融資元連絡先」フィールドには、融資元の連絡先に関する融資元連絡先情報が格納される。融資元連絡先情報は、例えば、以下のものである。
・メールアドレス
・サーバ３０が提供するサービスのメッセージアカウント
・サーバ３０以外の外部サーバが提供するサービスのメッセージアカウント（一例として、ソーシャルネットワークサービスのアカウント）
【００４８】
「融資元」は、１企業（例えば、金融機関）につき１つが登録されてもよいし、部署単位又は担当者単位等で登録されてもよい。
【００４９】
（３−２）事業者基礎情報データベース
本実施形態の事業者基礎情報データベースを説明する。図５は、本実施形態の事業者基礎情報データベースのデータ構造を示す図である。
【００５０】
図５の事業者基礎情報データベースには、事業者の基礎情報が格納されている。事業者基礎情報は、事業者情報の１つである。
事業者情報データベースは、「事業者ＩＤ」フィールドと、「事業者名」フィールドと、「事業者連絡先」フィールドと、「事業者属性情報」フィールドと、を含む。各フィールドは、互いに関連付けられている。
【００５１】
「事業者ＩＤ」フィールドには、事業者ＩＤが格納される。事業者ＩＤは、事業者を識別する事業者識別情報の一例である。
【００５２】
「事業者名」フィールドには、事業者名に関する情報（例えば、テキスト）が格納される。事業者名は、事業者識別情報の一例である。
【００５３】
「事業者連絡先」フィールドには、事業者の連絡先に関する事業者連絡先情報が格納される。事業者連絡先情報は、例えば、以下のものである。
・メールアドレス
・サーバ３０が提供するサービスのメッセージアカウント
・サーバ３０以外の外部サーバが提供するサービスのメッセージアカウント（一例として、ソーシャルネットワークサービスのアカウント、又は、会計アプリケーションのメッセージアカウント）
【００５４】
「事業者属性情報」フィールドには、事業者の属性に関する事業者属性情報が格納される。「事業者属性情報」フィールドは、複数のサブフィールド（「業種」フィールド、及び、「社員数」フィールド）を含む。
【００５５】
「業種」フィールドには、事業者の業種に関する事業者業種情報が格納される。
【００５６】
「社員数」フィールドには、事業者の社員数に関する事業者社員数情報が格納される。
【００５７】
（３−３）事業者会計情報データベース
本実施形態の事業者会計情報データベースを説明する。図６は、本実施形態の事業者会計情報データベースのデータ構造を示す図である。
【００５８】
図６の事業者会計情報データベースには、事業者の会計に関する事業者会計情報が格納されている。事業者会計情報は、事業者情報の１つである。
事業者会計情報データベースは、「事業者ＩＤ」フィールドと、「科目」フィールドと、を含む。各フィールドは、互いに関連付けられている。
【００５９】
「事業者ＩＤ」フィールドには、事業者ＩＤが格納される。
【００６０】
「科目」フィールドには、直近年度の貸借対照表及び損益計算書の各科目における実績に関する情報（事業者会計情報の一例）が格納される。各科目の実績は、金額及び前年度比である。ここでは、科目は、例えば、JIS-X0406の大分類（例えば「流動資産」）、中分類（例えば「当座資産」）、小分類（例えば「現金及び預金」）、及び細分類（例えば「現金」）における科目を含む。「科目」フィールドは、複数のサブフィールド（各科目のフィールド）を含む。各レコードにおいて、その事業者が使用していない科目については、何も格納されない。
【００６１】
（３−４）融資オファー返答情報データベース
本実施形態の融資オファー返答情報データベースを説明する。図７は、本実施形態の融資オファー返答情報データベースのデータ構造を示す図である。
【００６２】
図７の融資オファー返答情報データベースには、融資元の融資オファーに対する事業者の返答に関する融資オファー返答情報が格納されている。
融資オファー返答情報データベースは、「オファーＩＤ」フィールドと、「事業者ＩＤ」フィールドと、「ステータス」フィールドと、「返信メッセージ」フィールドと、を含む。各フィールドは、互いに関連付けられている。
融資オファー返答情報データベースは、融資元ＩＤに関連付けられている。
【００６３】
「オファーＩＤ」フィールドには、オファーＩＤが格納される。
【００６４】
「事業者ＩＤ」フィールドには、事業者ＩＤが格納される。
【００６５】
「ステータス」フィールドには、融資元からの融資オファーに対する事業者の返答の状況に関するオファーステータス情報が格納される。オファーステータス情報は、「未確認」、「拒否」及び「受諾」の何れかである。
【００６６】
「返信メッセージ」フィールドには、事業者からの返信メッセージ（例えば、テキスト）が格納される。
【００６７】
（３−５）事業者決算情報データベース
本実施形態の事業者決算情報データベースを説明する。図８は、本実施形態の事業者決算情報データベースのデータ構造を示す図である。
【００６８】
図８の事業者決算情報データベースには、事業者の決算に関する事業者決算情報が格納されている。事業者決算情報は、事業者情報の１つである。
事業者会計情報データベースは、「事業者ＩＤ」フィールドと、「決算情報」フィールドと、を含む。各フィールドは、互いに関連付けられている。
【００６９】
「事業者ＩＤ」フィールドには、事業者ＩＤが格納される。
【００７０】
「決算情報」フィールドには、過去の決算（例えば、貸借対照表、損益計算書、株主資本等変動計算書、及びキャッシュ・フロー計算書の少なくとも１つ）に関する決算情報が格納される。
【００７１】
（４）情報処理
（４−１）融資オファー処理
本実施形態の融資オファー処理を説明する。図９は、本実施形態の融資オファー処理のフローチャートである。図１０は、本実施形態の融資オファー処理において表示される画面例を示す図である。図１１は、本実施形態の融資オファー処理において表示される画面例を示す図である。
【００７２】
図９に示すように、融資元端末１０は、検索条件の受付（Ｓ１１０）を実行する。
具体的には、プロセッサ１２は、画面Ｐ１００（図１０）をディスプレイに表示する。
【００７３】
画面Ｐ１００は、フィールドオブジェクトＦ１００ａ〜Ｆ１００ｃと、操作オブジェクトＢ１００と、を含む。
フィールドオブジェクトＦ１００ａは、事業者の業種を指定するためのユーザ指示を受け付けるオブジェクトである。
フィールドオブジェクトＦ１００ｂは、事業者の社員数を指定するためのユーザ指示を受け付けるオブジェクトである。
フィールドオブジェクトＦ１００ｃは、事業者の直近年度の貸借対照表及び損益計算書の各科目における実績を指定するためのユーザ指示を受け付けるオブジェクトである。
操作オブジェクトＢ１００は、フィールドオブジェクトＦ１００ａ〜Ｆ１００ｃに入力されたユーザ指示をサーバ３０に送信するためのユーザ指示を受け付けるオブジェクトである。
【００７４】
ステップＳ１１０の後、融資元端末１０は、融資オファーの受付（Ｓ１１１）を実行する。
具体的には、融資元が、フィールドオブジェクトＦ１００ａ〜Ｆ１００ｃにユーザ指示を入力し、かつ、操作オブジェクトＢ１００を操作すると、プロセッサ１２は、画面Ｐ１０１（図１０）をディスプレイに表示する。なお、フィールドオブジェクトＦ１００ａ〜Ｆ１００ｃは、融資元が絞り込みを必要としない項目については入力しない。
【００７５】
画面Ｐ１０１は、フィールドオブジェクトＦ１０１と、操作オブジェクトＢ１０１と、を含む。
フィールドオブジェクトＦ１０１は、検索条件を満たす事業者に対する融資のオファーに関するオファーメッセージ（以下「融資オファーメッセージ」という）を指定するためのユーザ指示を受け付けるオブジェクトである。
操作オブジェクトＢ１０１は、オファーリクエスト（Ｓ１１２）を実行させるためのユーザ指示を受け付けるオブジェクトである。
【００７６】
ステップＳ１１１の後、融資元端末１０は、オファーリクエスト（Ｓ１１２）を実行する。
具体的には、融資元が、フィールドオブジェクトＦ１０１にユーザ指示を入力し、かつ、操作オブジェクトＢ１０１を操作すると、プロセッサ１２は、オファーリクエストデータをサーバ３０に送信する。
オファーリクエストデータは、以下の情報を含む。
・融資元ＩＤ
・フィールドオブジェクトＦ１００ａ〜Ｆ１００ｃに指定された検索条件に関する情報
・フィールドオブジェクトＦ１０１に指定された融資オファーメッセージ
【００７７】
ステップＳ１１２の後、サーバ３０は、事業者の特定（Ｓ３１０）を実行する。
具体的には、プロセッサ３２は、事業者基礎情報データベース（図５）及び事業者会計情報データベース（図６）を参照して、オファーリクエストデータに含まれる検索条件を全て満たす事業者情報に関連付けられた事業者ＩＤ（つまり、融資先候補となる事業者の事業者ＩＤ）を特定する。
【００７８】
ステップＳ３１０の後、サーバ３０は、融資オファーの通知（Ｓ３１１）を実行する。
具体的には、プロセッサ３２は、事業者基礎情報データベース（図５）を参照して、ステップＳ３１０で特定された事業者ＩＤに関連付けられた事業者連絡先情報を特定する。
プロセッサ３２は、オファーリクエストデータに含まれる融資元ＩＤに関連付けられた融資オファー返答情報データベース（図７）に新規レコードを追加する。新規レコードの各フィールドには、以下の情報が格納される。
・「オファーＩＤ」フィールドには、新規のオファーＩＤが格納される。
・「事業者ＩＤ」フィールドには、ステップＳ３１０で特定された事業者ＩＤが格納される。１つのレコードには１つの事業者ＩＤが格納される。
・「ステータス」フィールドには、「未確認」が格納される。
・「返信メッセージ」フィールドには、何も格納されない。
プロセッサ３２は、通知レスポンスデータを、特定された事業者連絡先情報の事業者連絡先に送信する。通知レスポンスデータは、以下の情報を含む。
・対応するオファーＩＤ
・融資元ＩＤ
・オファーリクエストデータに含まれる融資オファーメッセージ
【００７９】
ステップＳ３１１の後、融資先候補端末５０は、融資オファーの表示（Ｓ５１０）を実行する。
具体的には、プロセッサ５２は、通知レスポンスデータに基づいて、画面Ｐ１０２（図１１）をディスプレイに表示する。
【００８０】
画面Ｐ１０２は、表示オブジェクトＡ１０２と、操作オブジェクトＢ１０２と、を含む。
表示オブジェクトＡ１０２は、融資オファーメッセージを含む。
操作オブジェクトＢ１０２は、融資オファーに対する返答を行うためのユーザ指示を受け付けるオブジェクトである。
【００８１】
（４−２）事業者返答処理
本実施形態の事業者返答処理を説明する。図１２は、本実施形態の事業者返答処理のフローチャートである。図１３は、本実施形態の事業者返答処理において表示される画面例を示す図である。
【００８２】
図１２に示すように、ステップＳ５１０の後、融資先候補端末５０は、受諾可否の受付（Ｓ５１１）を実行する。
具体的には、事業者が、操作オブジェクトＢ１０２を操作すると、プロセッサ５２は、画面Ｐ１０３（図１３）をディスプレイに表示する。
【００８３】
画面Ｐ１０３は、フィールドオブジェクトＦ１０３と、操作オブジェクトＢ１０３ａ〜Ｂ１０３ｂと、を含む。
フィールドオブジェクトＦ１０３は、融資元に対する返信メッセージを指定するためのユーザ指示を受け付けるオブジェクトである。
操作オブジェクトＢ１０３ａは、融資オファーを受諾する旨のユーザ指示を受け付け、かつ、返答リクエスト（Ｓ５１２）を実行させるためのユーザ指示を受け付けるオブジェクトである。
操作オブジェクトＢ１０３ｂは、融資オファーを拒否する（つまり、受諾しない）旨のユーザ指示を受け付け、かつ、返答リクエスト（Ｓ５１２）を実行させるためのユーザ指示を受け付けるオブジェクトである。
【００８４】
ステップＳ５１１の後、融資先候補端末５０は、返答リクエスト（Ｓ５１２）を実行する。
具体的には、事業者が、フィールドオブジェクトＦ１０３に融資元に対する返信メッセージを入力し、かつ、操作オブジェクトＢ１０３ａ又は操作オブジェクトＢ１０３ｂを操作すると、プロセッサ５２は、返答リクエストデータをサーバ３０に送信する。なお、フィールドオブジェクトＦ１０３は、事業者が融資元へ伝えたい返信メッセージがない場合には入力しない。
返答リクエストデータは、以下の情報を含む。
・オファーＩＤ
・融資元ＩＤ
・フィールドオブジェクトＦ１０３に指定された返信メッセージ
・融資オファーを受諾する旨の情報、又は、融資オファーを拒否する旨の情報
【００８５】
ステップＳ５１２の後、サーバ３０は、データベースの更新（Ｓ３１２）を実行する。
具体的には、プロセッサ３２は、返答リクエストデータに含まれる融資元ＩＤに関連付けられた融資オファー返答情報データベース（図７）において、返答リクエストデータに含まれるオファーＩＤのレコードの「ステータス」フィールド及び「返信メッセージ」フィールドを更新する。「ステータス」フィールドについては、返答リクエストデータに融資オファーを受諾する旨の情報が含まれる場合には「未確認」を「受諾」に変更し、返答リクエストデータに融資オファーを拒否する旨の情報が含まれる場合には「未確認」を「拒否」に変更する。「返信メッセージ」フィールドについては、返答リクエストデータに含まれる返信メッセージを格納する。
【００８６】
（４−３）返答表示処理
本実施形態の返答表示処理を説明する。図１４は、本実施形態の返答表示処理のフローチャートである。図１５は、本実施形態の返答表示処理において表示される画面例を示す図である。
【００８７】
図１４に示すように、融資元端末１０は、返答閲覧指示の受付（Ｓ１１３）を実行する。
具体的には、プロセッサ１２は、画面Ｐ１０４（図１５）をディスプレイに表示する。
【００８８】
画面Ｐ１００は、操作オブジェクトＢ１０４を含む。
操作オブジェクトＢ１０４は、事業者からの返答を閲覧するためのユーザ指示を受け付けるオブジェクトである。
【００８９】
ステップＳ１１３の後、融資元端末１０は、返答閲覧リクエスト（Ｓ１１４）を実行する。
具体的には、融資元が、操作オブジェクトＢ１０４を操作すると、プロセッサ１２は、返答閲覧リクエストデータをサーバ３０に送信する。
返答閲覧リクエストデータは、以下の情報を含む。
・融資元ＩＤ
【００９０】
ステップＳ１１４の後、サーバ３０は、返答情報の特定（Ｓ３１３）を実行する。
具体的には、プロセッサ３２は、融資オファー返答情報データベース（図７）を参照して、返答閲覧リクエストデータに含まれる融資元ＩＤに関連付けられた融資オファーの返答に関する情報を特定する。
プロセッサ３２は、返答閲覧リクエストデータに含まれる融資元ＩＤに関連付けられた融資オファー返答情報データベース（図７）の「ステータス」フィールドを参照して、「受諾」が格納されているレコードに関連付けられた事業者ＩＤを特定する。
プロセッサ３２は、事業者決算情報データベース（図８）を参照して、特定された事業者ＩＤに関連付けられた決算情報を特定する。
【００９１】
ステップＳ３１３の後、サーバ３０は、返答の通知（Ｓ３１４）を実行する。
具体的には、プロセッサ３２は、返答閲覧レスポンスデータを融資元端末１０に送信する。返答閲覧レスポンスデータは、以下の情報を含む。
・ステップＳ３１３で特定された融資オファーの返答に関する情報
・ステップＳ３１３で特定された事業者ＩＤ及び決算情報
【００９２】
ステップＳ３１４の後、融資元端末１０は、返答の表示（Ｓ１１５）を実行する。
具体的には、プロセッサ１２は、返答閲覧レスポンスデータに基づいて、画面Ｐ１０５（図１５）をディスプレイに表示する。
【００９３】
画面Ｐ１０５は、表示オブジェクトＡ１０５と、複数の操作オブジェクトＢ１０５（Ｂ１０５ａ，Ｂ１０５ｂ，・・・）と、を含む。操作オブジェクトＢ１０５は、「ステータス」フィールドに「受諾」が格納されている事業者と同数含む。
表示オブジェクトＡ１０５は、融資オファーの返答に関する情報を含む。
操作オブジェクトＢ１０５は、「ステータス」フィールドが「受諾」である事業者の決算情報を閲覧するためのユーザ指示を受け付けるオブジェクトである。操作オブジェクトＢ１０５ａは、事業者ＩＤ＝Ｂ０１３で識別される事業者の決算情報を閲覧するためのユーザ指示を受け付けるオブジェクトである。操作オブジェクトＢ１０５ｂは、事業者ＩＤ＝Ｂ０２１で識別される事業者の決算情報を閲覧するためのユーザ指示を受け付けるオブジェクトである。
【００９４】
融資元が、複数の操作オブジェクトＢ１０５のうち、例えば、操作オブジェクトＢ１０５ｂを操作すると、プロセッサ１２は、画面Ｐ１０６（図１５）をディスプレイに表示する。
【００９５】
画面Ｐ１０６は、表示オブジェクトＡ１０６を含む。
表示オブジェクトＡ１０６には、事業者ＩＤ＝Ｂ０２１に関連付けられた決算情報（例えば、貸借対照表、損益計算書、株主資本等変動計算書、及びキャッシュ・フロー計算書の少なくとも１つ）が表示される。
【００９６】
本実施形態によれば、融資元が指定した会計に関する検索条件に合う事業者に融資のオファーがなされる。すなわち、融資元が予め会計に関して事業者を絞り込んで融資のオファーをする。そのため、融資元側としては、融資の申込みが、融資の審査に通る可能性の高い事業者からのものとなる。一方、事業者側としては、融資をしてもらえる可能性が高い融資元から融資のオファーがくるため、融資の審査に通らない融資元へ融資の申込みを行ってしまうことが低減される。したがって、融資において、融資元及び融資を受ける事業者の時間及び労力を削減することができる。
【００９７】
また、本実施形態によれば、融資元から融資オファーメッセージの指定を受け付ける。そのため、融資元は、独自のメッセージを事業者へ通知することができる。
また、本実施形態によれば、事業者の属性も検索条件の１つとしている。そのため、融資元は、融資の条件により合致した事業者に融資のオファーをすることができる。
また、本実施形態によれば、融資先候補の事業者が融資のオファーを受諾したか否かが融資元に通知される。そのため、融資先候補の事業者は、融資のオファーに対する返答を融資元に対して容易にすることができる。また、融資元は、融資先候補の事業者の返答を容易に知ることができる。
また、本実施形態によれば、融資先候補の事業者から返信メッセージの指定を受け付ける。そのため、融資先候補の事業者は、オファーを受諾するか否か以外の情報も融資元へ伝えることができる。
また、本実施形態によれば、融資先候補の事業者が融資のオファーを受諾する場合、融資元に対して、融資先候補の事業者の決算情報が送信される。そのため、融資元と融資先候補の事業者との間で決算情報の提供についてのやり取りをする必要がなくなり、両者にとって手間及び時間を省略することができる。
【００９８】
（５）変形例
本実施形態の変形例を説明する。
【００９９】
（５−１）変形例１
変形例１を説明する。変形例１は、融資オファーの受諾した事業者に対して、融資元から返信メッセージを送信する例である。
【０１００】
（５−１−１）融資元返信処理
【０１０１】
変形例１の融資元返信処理について説明する。図１６は、変形例１の融資元返信処理のシーケンス図である。図１７は、変形例１の融資元返信処理において表示される画面例を示す図である。図１８は、変形例１の融資元返信処理において表示される画面例を示す図である。
【０１０２】
変形例１では、返答表示処理のステップ１１５（返答の表示）において、プロセッサ１２は、返答閲覧レスポンスデータに基づいて、画面Ｐ２０５（図１７）をディスプレイに表示する。
【０１０３】
画面Ｐ２０５は、表示オブジェクトＡ２０５と、複数の操作オブジェクトＢ２０５（Ｂ２０５ａ，Ｂ２０５ｂ，・・・）と、を含む。操作オブジェクトＢ２０５は、「ステータス」フィールドに「受諾」が格納されている事業者と同数含む。
表示オブジェクトＡ２０５は、融資オファーの返答に関する情報を含む。
操作オブジェクトＢ２０５は、「ステータス」フィールドが「受諾」である事業者に対して返信メッセージを送信する旨のユーザ指示を受け付けるオブジェクトである。操作オブジェクトＢ２０５ａは、事業者ＩＤ＝Ｂ０１３で識別される事業者に対して返信メッセージを送信する旨のユーザ指示を受け付けるオブジェクトである。操作オブジェクトＢ２０５ｂは、事業者ＩＤ＝Ｂ０２１で識別される事業者に対して返信メッセージを送信する旨のユーザ指示を受け付けるオブジェクトである。
【０１０４】
ステップＳ１１５の後、融資元端末１０は、返信メッセージの受付（Ｓ１２６）を実行する。
具体的には、融資元が、複数の操作オブジェクトＢ２０５のうち、例えば、操作オブジェクトＢ２０５ｂを操作すると、プロセッサ１２は、画面Ｐ２０６（図１７）をディスプレイに表示する。
【０１０５】
画面Ｐ２０６は、フィールドオブジェクトＦ２０６と、操作オブジェクトＢ２０６と、を含む。
フィールドオブジェクトＦ２０６は、「ステータス」フィールドが「受諾」である事業者に対する返信メッセージを指定するためのユーザ指示を受け付けるオブジェクトである。
操作オブジェクトＢ２０６は、返信リクエスト（Ｓ１２７）を実行させるためのユーザ指示を受け付けるオブジェクトである。
【０１０６】
ステップＳ１２６の後、融資元端末１０は、返信リクエスト（Ｓ１２７）を実行する。
具体的には、融資元が、フィールドオブジェクトＦ２０６にユーザ指示を入力し、かつ、操作オブジェクトＢ２０６を操作すると、プロセッサ１２は、返信リクエストデータをサーバ３０に送信する。
返信リクエストデータは、以下の情報を含む。
・融資元ＩＤ
・ステップＳ１２６で選択された事業者の事業者ＩＤ
・フィールドオブジェクトＦ２０６に指定された返信メッセージ
【０１０７】
ステップＳ１２７の後、サーバ３０は、事業者連絡先の特定（Ｓ３２０）を実行する。
具体的には、プロセッサ３２は、事業者基礎情報データベース（図５）を参照して、返信リクエストデータに含まれる事業者ＩＤに関連付けられた事業者連絡先情報を特定する。
【０１０８】
ステップＳ３２０の後、サーバ３０は、返信メッセージの送信（Ｓ３２１）を実行する。
具体的には、プロセッサ３２は、返信レスポンスデータを、特定された事業者連絡先情報の事業者連絡先に送信する。返信レスポンスデータは、以下の情報を含む。
・融資元ＩＤ
・返信リクエストデータに含まれる返信メッセージ
【０１０９】
ステップＳ３２１の後、融資先候補端末５０は、返信メッセージの表示（Ｓ５２０）を実行する。
具体的には、プロセッサ５２は、返信レスポンスデータに基づいて、画面Ｐ２０７（図１８）をディスプレイに表示する。
【０１１０】
画面Ｐ２０７は、表示オブジェクトＡ２０７を含む。
表示オブジェクトＡ２０７は、返信メッセージを含む。
【０１１１】
変形例１によれば、融資元は、融資オファーの受諾した事業者に対して、返信メッセージを送信することができる。
【０１１２】
（５−２）変形例２
変形例２を説明する。変形例２は、検索条件を満たす事業者の数を提示する例である。
【０１１３】
変形例２の融資オファー処理について説明する。図１９は、変形例２の融資オファー処理のシーケンス図である。図２０は、変形例２の融資オファー処理において表示される画面例を示す図である。
【０１１４】
図１９に示すように、融資元端末１０は、図９と同様に、検索条件の受付（Ｓ１１０）を実行する。
【０１１５】
ステップＳ１１０の後、融資元端末１０は、検索リクエスト（Ｓ１３１）を実行する。
具体的には、融資元が、フィールドオブジェクトＦ１００ａ〜Ｆ１００ｃにユーザ指示を入力し、かつ、操作オブジェクトＢ１００を操作すると、プロセッサ１２は、検索リクエストデータをサーバ３０に送信する。なお、フィールドオブジェクトＦ１００ａ〜Ｆ１００ｃは、融資元が絞り込みを必要としない項目については入力しない。
検索リクエストデータは、以下の情報を含む。
・融資元ＩＤ
・フィールドオブジェクトＦ１００ａ〜Ｆ１００ｃに指定された検索条件に関する情報
【０１１６】
ステップＳ１３１の後、サーバ３０は、図９と同様に、事業者の特定（Ｓ３１０）を実行する。
【０１１７】
ステップＳ３１０の後、サーバ３０は、検索レスポンス（Ｓ３３１）を実行する。
具体的には、プロセッサ３２は、ステップＳ３１０で特定された事業者ＩＤに関連付けられた事業者の数を特定する。
プロセッサ３２は、検索レスポンスデータを、融資元端末１０を送信する。検索レスポンスデータは、以下の情報を含む。
・ステップＳ３１０で特定された事業者ＩＤ
・ステップＳ３３１で特定された事業者の数に関する情報
【０１１８】
ステップＳ３３１の後、融資元端末１０は、検索結果の表示（Ｓ１３２）を実行する。
具体的には、プロセッサ１２は、検索レスポンスデータに基づいて、画面Ｐ３０１（図２０）をディスプレイに表示する。
【０１１９】
画面Ｐ３０１は、表示オブジェクトＡ３０１と、操作オブジェクトＢ３０１ａ〜Ｂ３０１ｂと、を含む。
表示オブジェクトＡ３０１は、検索レスポンスデータに含まれる事業者の数に関する情報を含む。
操作オブジェクトＢ３０１ａは、画面Ｐ１００（図１０）に戻る（つまり、検索条件の受付（Ｓ１１０）を実行させる）ためのユーザ指示を受け付けるオブジェクトである。
操作オブジェクトＢ３０１ｂは、融資オファーの受付（Ｓ１１１）を実行させるためのユーザ指示を受け付けるオブジェクトである。
【０１２０】
融資元は、表示オブジェクトＡ３０１で提示された事業者の数を参照した結果、検索条件を変更したい（例えば、もっと多くの事業者が特定されるようにしたい等）と考える場合には、操作オブジェクトＢ３０１ａを操作する。
融資元が操作オブジェクトＢ３０１ａを操作すると、融資元端末１０は、再度、検索条件の受付（Ｓ１１０）を実行する。ステップＳ１１０の後、融資元端末１０は、ステップＳ１３１を実行する。ステップＳ１３１の後、サーバ３０は、ステップＳ３１０及びステップＳ３３１を実行する。ステップＳ３３１の後、融資元端末１０は、ステップＳ１３２を実行する。
【０１２１】
融資元は、表示オブジェクトＡ３０１で提示された事業者の数を参照した結果、検索条件を変更したいと考える場合には、操作オブジェクトＢ３０１ｂを操作する。
融資元が操作オブジェクトＢ３０１ｂを操作すると、サーバ３０は、融資オファーの受付（Ｓ１１１）を実行する。
具体的には、プロセッサ１２は、画面Ｐ１０１（図１０）をディスプレイに表示する。
【０１２２】
ステップＳ１１１の後、融資元端末１０は、オファーリクエスト（Ｓ１３３）を実行する。
具体的には、融資元が、フィールドオブジェクトＦ１０１にユーザ指示を入力し、かつ、操作オブジェクトＢ１０１を操作すると、プロセッサ１２は、オファーリクエストデータをサーバ３０に送信する。
オファーリクエストデータは、以下の情報を含む。
・融資元ＩＤ
・フィールドオブジェクトＦ１０１に指定された融資オファーメッセージ
・検索レスポンスデータに含まれる事業者ＩＤ
【０１２３】
ステップＳ１３３の後、サーバ３０は、融資オファーの通知（Ｓ３３２）を実行する。
具体的には、プロセッサ３２は、事業者基礎情報データベース（図５）を参照して、オファーリクエストデータに含まれる事業者ＩＤに関連付けられた事業者連絡先情報を特定する。
プロセッサ３２は、オファーリクエストデータに含まれる融資元ＩＤに関連付けられた融資オファー返答情報データベース（図７）に新規レコードを追加する。新規レコードの各フィールドには、以下の情報が格納される。
・「オファーＩＤ」フィールドには、新規のオファーＩＤが格納される。
・「事業者ＩＤ」フィールドには、検索レスポンスデータに含まれる事業者ＩＤが格納される。１つのレコードには１つの事業者ＩＤが格納される。
・「ステータス」フィールドには、「未確認」が格納される。
・「返信メッセージ」フィールドには、何も格納されない。
プロセッサ３２は、通知レスポンスデータを、特定された事業者連絡先情報の事業者連絡先に送信する。通知レスポンスデータは、以下の情報を含む。
・対応するオファーＩＤ
・融資元ＩＤ
・オファーリクエストデータに含まれる融資オファーメッセージ
【０１２４】
ステップＳ３３２の後、融資先候補端末５０は、図９と同様に、融資オファーの表示（Ｓ５１０）を実行する。
【０１２５】
変形例２によれば、融資オファー処理において、特定された事業者識別情報によって識別される事業者の数を提示する。すなわち、融資元は、検索条件を入力すると、検索条件を満たす事業者の数を知ることができる。そのため、融資元は、事業者の数を調整して融資オファーを出すことができる。
【０１２６】
（５−３）変形例３
変形例３を説明する。変形例３は、事業者に関する情報を記憶する記憶装置がサーバ３０とは別のサーバ７０に記憶されている例である。図２１は、変形例３の概要の説明図である。
サーバ７０は、例えば、事業者が利用するクラウド型の会計アプリケーションのサーバである。サーバ７０は、情報処理システムの構成要素であり得る。サーバ７０の構成は、サーバ３０と同様である。
【０１２７】
変形例３の概要について説明する。
図２１に示すように、サーバ３０は、事業者を識別する事業者識別情報と、事業者の会計に関する会計情報を含む事業者情報と、を関連付けて記憶するサーバ７０の記憶装置にアクセス可能である。
サーバ３０は、融資元端末１０を介して、事業者の会計に関する検索条件を融資元から受け付ける。
サーバ３０は、会計に関する検索条件を満たす会計情報に関連付けられた事業者識別情報を特定する。
サーバ３０は、サーバ７０及び融資先候補端末５０を介して、特定された事業者識別情報によって識別される事業者（融資先候補）に対して、融資のオファーに関するオファーメッセージを通知する。
【０１２８】
変形例３によれば、融資元は、サーバ３０が提供するサービスを利用していない事業者に対しても、サーバ７０が提供するサービスを当該事業者が利用していれば、融資のオファーを送ることができる。そのため、融資元は、より多くの事業者の中から条件に合う事業者を見つけることができる。
【０１２９】
（５−４）変形例４
変形例４を説明する。変形例４は、事業者の特定における検索条件として具体的な検索条件に関連付けられた検索条件識別情報（例えば、検索条件名等）を指定する例である。
【０１３０】
（５−４−１）検索条件情報データベース
変形例４の検索条件情報データベースについて説明する。図２２は、変形例４の検索条件情報データベースのデータ構造を示す図である。
【０１３１】
図２２の検索条件情報データベースには、検索条件に関する検索条件情報が格納される。検索条件情報データベースは、「検索条件ＩＤ」フィールドと、「検索条件名」フィールドと、「検索条件」フィールドと、を含む。各フィールドは、互いに関連付けられている。
【０１３２】
「検索条件ＩＤ」フィールドには、検索条件ＩＤが格納される。
【０１３３】
「検索条件名」フィールドには、検索条件名に関する情報（例えば、テキスト）が格納される。検索条件名は、例えば、検索条件の特徴を示す言葉を含んでいる（例えば、「工作機械分野用〜」等）。
【０１３４】
「検索条件」フィールドには、具体的な検索条件が格納される。検索条件の一例は、過去の融資における返済率等のビッグデータに基づき算出された、優良な事業者が検索される検索条件である。「検索条件」フィールドは、所定のタイミングで更新されてもよい。所定のタイミングとしては、例えば、月１回全ての検索条件ＩＤに係る検索条件が更新されてもよいし、あるいは、融資元が後述のステップＳ１４０を実行した際に更新されてもよい。
【０１３５】
（５−４−２）情報処理
変形例４の情報処理について説明する。図２３は、変形例４の融資オファー処理のシーケンス図である。図２４は、変形例４の融資オファー処理において表示される画面例を示す図である。
【０１３６】
図２３に示すように、融資元端末１０は、検索条件の受付（Ｓ１４０）を実行する。
具体的には、プロセッサ１２は、画面Ｐ４００（図２４）をディスプレイに表示する。
【０１３７】
画面Ｐ４００は、複数の操作オブジェクトＢ４００を含む。操作オブジェクトＢ４００は、利用する検索条件を指定するためのユーザ指示を受け付けるオブジェクトである。操作オブジェクトＢ４００の数は、検索条件情報データベース（図２２）に含まれる「検索条件名」の数と同じである。複数の操作オブジェクトＢ４００には、それぞれ、検索条件名に対応する検索条件ＩＤが割り当てられている。
【０１３８】
ステップＳ１４０の後、融資元端末１０は、融資オファーの受付（Ｓ１１１）を実行する。
具体的には、融資元が、複数の操作オブジェクトＢ４００のうちの１つを操作すると、プロセッサ１２は、画面Ｐ１０１（図１０）をディスプレイに表示する。
【０１３９】
ステップＳ１１１の後、融資元端末１０は、オファーリクエスト（Ｓ１４２）を実行する。
具体的には、融資元が、フィールドオブジェクトＦ１０１にユーザ指示を入力し、かつ、操作オブジェクトＢ１０１を操作すると、プロセッサ１２は、オファーリクエストデータをサーバ３０に送信する。
オファーリクエストデータは、以下の情報を含む。
・融資元ＩＤ
・ユーザが操作した操作オブジェクトＢ４００に割り当てられた検索条件ＩＤ
・フィールドオブジェクトＦ１０１に指定された融資オファーメッセージ
【０１４０】
ステップＳ１４２の後、サーバ３０は、事業者の特定（Ｓ３４０）を実行する。
具体的には、プロセッサ３２は、検索条件情報データベース（図２２）を参照して、オファーリクエストデータに含まれる検索条件ＩＤに関連付けられた検索条件を特定する。
プロセッサ３２は、事業者基礎情報データベース（図５）及び事業者会計情報データベース（図６）を参照して、特定された検索条件を全て満たす事業者情報に関連付けられた事業者ＩＤ（つまり、融資先候補となる事業者の事業者ＩＤ）を特定する。
【０１４１】
ステップＳ３４０の後、サーバ３０は、図９と同様に、融資オファーの通知（Ｓ３１１）を実行する。
【０１４２】
ステップＳ３１１の後、融資先候補端末５０は、図９と同様に、融資オファーの表示（Ｓ５１０）を実行する。
【０１４３】
変形例４によれば、融資オファー処理において、融資元は、検索条件のセットを指定することにより、融資のオファーを送ることができる。そのため、融資元は、入力にかかる手間を省くことができる。また、検索条件として、過去の融資における返済率等のビッグデータに基づき算出された優良な事業者が検索される検索条件を含む場合には、より的確な検索条件において事業者を特定することができる。
【０１４４】
（６）その他の変形例
その他の変形例を説明する。
【０１４５】
記憶装置１１は、ネットワークＮＷを介して、融資元端末１０と接続されてもよい。記憶装置３１は、ネットワークＮＷを介して、サーバ３０と接続されてもよい。記憶装置５１は、ネットワークＮＷを介して、融資先候補端末５０と接続されてもよい。
【０１４６】
上記の情報処理の各ステップは、融資元端末１０、サーバ３０及び融資先候補端末５０の何れでも実行可能である。
例えば、融資元端末１０が上記の情報処理の全てのステップを実行可能である場合、融資元端末１０は、サーバ３０にリクエストを送信することなく、スタンドアロンで動作する情報処理装置として機能する。
【０１４７】
本実施形態では、事業者属性情報として業種及び社員数を含む例を示したが、本実施形態はこれに限られない。事業者属性情報は、例えば、以下のものを含んでもよい。
・所在地（例えば、都道府県名）に関する情報
・創業年数に関する情報
・最新決算日に関する情報
【０１４８】
本実施形態では、事業者会計情報が直近年度の貸借対照表及び損益計算書の各科目における実績に関する情報である例を示したが、本実施形態はこれに限られない。事業者会計情報は、例えば、以下のものを含んでもよい。
・直近年度以前の年度の貸借対照表及び損益計算書の各科目における実績に関する情報
・貸借対照表又は損益計算書等の決算情報から算出される各種営業指標（例えば、流動比率、負債比率、自己資本利益率等）に関する情報
・月単位での試算表に関する情報
【０１４９】
本実施形態では、融資元から融資オファーメッセージを指定するためのユーザ指示を受け付ける例を示したが、本実施形態はこれに限られない。融資オファーメッセージとして、定型のメッセージが、特定された事業者連絡先情報の事業者連絡先に送信されてもよい。
【０１５０】
本実施形態では、検索条件の受付（Ｓ１１０）及び融資オファーの受付（Ｓ１１１）より後に事業者の特定（Ｓ３１０）を行う例を示したが、本実施形態はこれに限られない。変形例２（図１９）と同様に、検索条件の受付（Ｓ１１０）と融資オファーの受付（Ｓ１１１）との間に、事業者の特定（Ｓ３１０）を行ってもよい。この場合、検索レスポンス（Ｓ３３１）では、検索レスポンスデータは、「ステップＳ３１０で特定された事業者ＩＤ」を含む。また、検索結果の表示（Ｓ１３２）は行わずに、融資オファーの受付（Ｓ１１１）を行う。
【０１５１】
変形例１では、ステップＳ５２０において、画面Ｐ２０７が表示オブジェクトＡ２０７を含む例を示したが、変形例１はこれに限られない。画面Ｐ２０７は、さらにフィールドオブジェクト及び操作オブジェクトを含んでもよく、事業者がフィールドオブジェクトに返信メッセージを指定するためのユーザ指示を入力し、かつ、操作オブジェクトを操作することによって、事業者から融資元へ返信メッセージを送信することができてもよい。
また、変形例１において、融資元から事業者への返信メッセージ、及び、事業者から融資元への返信メッセージは、データベース（例えば、融資オファー返答情報データベース（図７）等）に格納されてもよい。これにより、融資元及び事業者は、返信メッセージの履歴を閲覧することができる。
【０１５２】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【０１５３】
１            ：情報処理システム
１０          ：融資元端末
１１          ：記憶装置
１２          ：プロセッサ
１３          ：入出力インタフェース
１４          ：通信インタフェース
３０          ：サーバ
３１          ：記憶装置
３２          ：プロセッサ
３３          ：入出力インタフェース
３４          ：通信インタフェース
５０          ：融資先候補端末
５１          ：記憶装置
５２          ：プロセッサ
５３          ：入出力インタフェース
５４          ：通信インタフェース
７０          ：サーバ
【図１】
2020140461.tif 000003
【図２】
2020140461.tif 000004
【図３】
2020140461.tif 000005
【図４】
2020140461.tif 000006
【図５】
2020140461.tif 000007
【図６】
2020140461.tif 000008
【図７】
2020140461.tif 000009
【図８】
2020140461.tif 000010
【図９】
2020140461.tif 000011
【図１０】
2020140461.tif 000012
【図１１】
2020140461.tif 000013
【図１２】
2020140461.tif 000014
【図１３】
2020140461.tif 000015
【図１４】
2020140461.tif 000016
【図１５】
2020140461.tif 000017
【図１６】
2020140461.tif 000018
【図１７】
2020140461.tif 000019
【図１８】
2020140461.tif 000020
【図１９】
2020140461.tif 000021
【図２０】
2020140461.tif 000022
【図２１】
2020140461.tif 000023
【図２２】
2020140461.tif 000024
【図２３】
2020140461.tif 000025
【図２４】
2020140461.tif 000026